(57)【要約】【課題】高い輝度の光を出射可能な面状発光装置を提供する。【解決手段】線状発光装置１１は、所定の方向に伸延した基板１１ｊと、所定の方向に沿って配置された複数の電極２０、２１と、基板１１ｊ上に所定の方向に沿って配置され、且つ、複数の電極２０、２１と接続された複数の発光素子１１ｇと、複数の発光素子１１ｇを封止するために複数の発光素子の周囲に配置された封止材１１ｂと、複数の発光素子１１ｇのそれぞれに複数の電極２０、２１を介して電力を供給するための端子２００、２１０が配置され、且つ基板の外縁の外まで伸延した可撓性の回路基板２１０と、を有する。【選択図】図４
2020091952.tif 000002
【特許請求の範囲】
【請求項１】
所定の方向に伸延した基板と、
前記所定の方向に沿って配置された複数の電極と、
前記基板上に前記所定の方向に沿って配置され、且つ、前記複数の電極と接続された複数の発光素子と、
前記複数の発光素子を封止するために前記複数の発光素子の周囲に配置された封止材と、
前記複数の発光素子のそれぞれに前記複数の電極を介して電力を供給するための端子が配置され、且つ前記基板の外縁の外まで伸延した可撓性の回路基板と、
を有することを特徴とする線状発光装置。
【請求項２】
前記複数の電極は、前記可撓性の回路基板とは異なる前記基板上に固定される第２の回路基板上に配置されている、請求項１に記載の線状発光装置。
【請求項３】
前記複数の電極は前記可撓性の回路基板上に配置され、前記可撓性の回路基板の一部は、前記基板上に固定されている、請求項１に記載の線状発光装置。
【請求項４】
前記基板上に配置され、且つ、前記複数の発光素子を囲むように配置された枠体を更に有し、
前記封止材は、前記枠体の内側に配置されている、請求項１〜３の何れか一項に記載の線状発光装置。
【請求項５】
所定の第１方向に伸延した第１基板、前記所定の第１方向に沿って配置された第１の複数の電極、及び、前記第１基板上に前記所定の第１方向に沿って配置され且つ前記第１の複数の電極と接続された第１の複数の発光素子を含む第１の線状発光装置と、
所定の第２方向に伸延した第２基板、前記所定の第２方向に沿って配置された第２の複数の電極、及び、前記第２基板上に前記所定の第２方向に沿って配置され且つ前記第２の複数の電極と接続された第２の複数の発光素子を含む第２の線状発光装置と、
前記第１及び第２複数の発光素子のそれぞれに前記第１及び第２の複数の電極を介して電力を供給するための端子が配置され、且つ、前記第１及び第２の線状発光装置を接続する可撓性の回路基板と、
前記第１の線状発光装置から出射する光を入射する第１入射面、前記第２の線状発光装置から出射する光を入射する第２入射面、及び、前記第１及び第２入射面から入射した光を出射する出射面を有する導光板と、
前記第１の線状発光装置、前記第２の線状発光装置、及び、前記導光板を収納するケースと、
を有することを特徴とする面状発光装置。
【請求項６】
前記複数の電極は、前記可撓性の回路基板とは異なる前記基板上に固定される第２の回路基板上に配置されている、請求項５に記載の面状発光装置。
【請求項７】
前記複数の電極は前記可撓性の回路基板上に配置され、前記可撓性の回路基板の一部は、前記基板上に固定されている、請求項５に記載の面状発光装置。
【請求項８】
前記基板上に配置され、且つ、前記複数の発光素子を囲むように配置された枠体を更に有し、
前記封止材は、前記枠体の内側に配置されている、請求項５〜７の何れか一項に記載の面状発光装置。
【発明の詳細な説明】
【技術分野】
【０００１】
本発明は、線状発光装置及び面状発光装置に関する。
【背景技術】
【０００２】
従来、液晶パネル装置等の透過型の表示パネル装置、シーリングライト等の照明装置及びデジタルサイネージ等の情報表示装置において、光を面状に発光する面状発光装置が光源として用いられている。
【０００３】
様々な情報を表示する表示パネル装置及び情報表示装置は、太陽の光がある明るい屋外で使用される場合がある。また、照明装置も、広い部屋で用いられる場合には、部屋の隅々まで光を照らすように、高い輝度の光を照射することが求められる場合がある。
【０００４】
例えば、液晶パネル装置等の透過型の表示パネル装置は、高機能携帯端末の表示部として使用されており、様々な環境において使用され得る。
【０００５】
液晶パネル等の透過型の表示パネルを背面から照らす面状発光装置は、透過型表示パネルを背面から照らすのでバックライト装置ともいわれる。
【０００６】
バックライト装置は、液晶パネル等の透過型の表示パネル装置を背面から照らして画像の形成に寄与する。
【０００７】
面状発光装置には、発光装置が発光する光を入射する入射面と入射した光を出射する出射面とがほぼ直交して配置されるエッジ型の面状発光装置と、入射面と出射面とが対向して配置される直下型の面状発光装置とがある。
【０００８】
エッジ型の面状発光装置は、１つ以上の側面を持つ導光板を備え、導光板の１つの側面が発光装置の発光領域と対向して配置される入射面として用いられる。入射面から入射した光は、導光板内を伝搬しながら、入射面に対してほぼ直交して配置される出射面から出射する。１つ以上の側面を持つ導光板は、長辺を形成する側面と短辺を形成する側面とを有するが、入射面として長辺を形成する側面が用いられることが多い。そのため、エッジ型の面状発光装置は、導光板の長手方向に伸延した線状発光部を備える。
【０００９】
例えば、特許文献１の図１には、４個のＬＥＤチップがリードフレームに実装された３個のパッケージと、この３個のパッケージが直線的に取り付けられた長尺状の絶縁基板とを有する線状発光部が示されている。また、特許文献１の図５には、線状発光部を備えたエッジ型の面状照明装置が示されている。
【先行技術文献】
【特許文献】
【００１０】
【特許文献１】特開２０１０−１４６９３１号公報
【発明の概要】
【発明が解決しようとする課題】
【００１１】
近年、屋外等の明るい環境下においても、表示パネル装置の充分な視認性を確保するために、バックライト装置が出射する光の輝度を更に向上することが求められている。
【００１２】
輝度を向上する方法として、線状発光部が有するＬＥＤチップの数を増加することがある。
【００１３】
しかし、特許文献１に記載された線状発光部では、絶縁基板の長さは固定されているので、絶縁基板に取り付けられるパッケージの数を増加することは容易ではない。また、一つのパッケージに実装されるＬＥＤチップの数は、リードフレームの放熱性及び加工精度等の制約を受けるので、実装されるＬＥＤチップの数を大きく増大することも困難である。
【００１４】
照明装置及び情報表示装置においても、表示パネル装置と同様に、面状発光装置の輝度を向上することが求められている。
【００１５】
また、特許文献１に記載された線状発光部では、隣接するＬＥＤチップの間を電気的に接続するため接続端子が、銅板等で形成されたリードフレーム上に配置されるため、接続端子が配置される領域にＬＥＤチップを配置することができない。特許文献１に記載された線状発光部は、接続端子が配置される領域にＬＥＤチップが配置されないため、ＬＥＤチップの配置密度が低下して高輝度化を阻害するおそれがある。
【００１６】
本明細書では、高い輝度の光を出射可能な線状発光装置及び面状発光装置を提供することを目的とする。
【課題を解決するための手段】
【００１７】
本明細書に開示する線状発光装置は、所定の方向に伸延した基板と、所定の方向に沿って配置された複数の電極と、基板上に所定の方向に沿って配置され、且つ、複数の電極と接続された複数の発光素子と、複数の発光素子を封止するために複数の発光素子の周囲に配置された封止材と、複数の発光素子のそれぞれに複数の電極を介して電力を供給するための端子が配置され、且つ基板の外縁の外まで伸延した可撓性の回路基板と、を有する。
【００１８】
さらに、線状発光装置において、複数の電極は、可撓性の回路基板とは異なる基板上に固定される第２の回路基板上に配置されていることが好ましい。
【００１９】
さらに、線状発光装置において、複数の電極は可撓性の回路基板上に配置され、可撓性の回路基板の一部は、基板上に固定されていることが好ましい。
【００２０】
さらに、線状発光装置において、基板上に配置され、且つ、複数の発光素子を囲むように配置された枠体を更に有し、封止材は、枠体の内側に配置されていることが好ましい。
【００２１】
また、本明細書に開示する面状発光装置は、所定の第１方向に伸延した第１基板、所定の第１方向に沿って配置された第１の複数の電極、及び、第１基板上に所定の第１方向に沿って配置され且つ第１の複数の電極と接続された第１の複数の発光素子を含む第１の線状発光装置と、所定の第２方向に伸延した第２基板、所定の第２方向に沿って配置された第２の複数の電極、及び、第２基板上に所定の第２方向に沿って配置され且つ第２の複数の電極と接続された第２の複数の発光素子を含む第２の線状発光装置と、第１及び第２複数の発光素子のそれぞれに第１及び第２の複数の電極を介して電力を供給するための端子が配置され、且つ、第１及び第２の線状発光装置を接続する可撓性の回路基板と、第１の線状発光装置から出射する光を入射する第１入射面、第２の線状発光装置から出射する光を入射する第２入射面、及び、第１及び第２入射面から入射した光を出射する出射面を有する導光板と、第１の線状発光装置、第２の線状発光装置、及び、導光板を収納するケースと、を有する。
【００２２】
さらに、面状発光装置において、複数の電極は、可撓性の回路基板とは異なる基板上に固定される第２の回路基板上に配置されていることが好ましい。
【００２３】
さらに、面状発光装置において、複数の電極は可撓性の回路基板上に配置され、可撓性の回路基板の一部は、基板上に固定されていることが好ましい。
【００２４】
さらに、面状発光装置において、基板上に配置され、且つ、複数の発光素子を囲むように配置された枠体を更に有し、封止材は、枠体の内側に配置されていることが好ましい。
【発明の効果】
【００２５】
上述した本明細書に開示する線状発光装置及び面状発光装置は、高い輝度の光を出射可能である。
【図面の簡単な説明】
【００２６】
【図１】本明細書に開示する面状発光装置の一実施形態の斜視図である。
【図２】本明細書に開示する面状発光装置の一実施形態の分解斜視図である。
【図３】本明細書に開示する面状発光装置の一実施形態の要部の平面図である。
【図４】本明細書に開示する面状発光装置の一実施形態の線状発光部の拡大平面図である。
【図５】図４のＢ−Ｂ’線断面図である。
【図６】本明細書に開示する面状発光装置の一実施形態の線状発光部の配線部の拡大平面図である。
【図７】（Ａ）は、図１のＡ−Ａ’線拡大断面図であり、（Ｂ）は、（Ａ）の要部の拡大図である。
【図８】本明細書に開示する面状発光装置の他の実施形態の斜視図である。
【図９】本明細書に開示する面状発光装置の他の実施形態の分解斜視図である。
【図１０】本明細書に開示する面状発光装置の他の実施形態の線状発光部の拡大平面図である。
【図１１】本明細書に開示する面状発光装置の他の実施形態の線状発光装置の配線部の拡大平面図である。
【図１２】本明細書に開示する面状発光装置の更に他の実施形態の斜視図である。
【図１３】本明細書に開示する面状発光装置の更に他の実施形態の分解斜視図である。
【図１４】本明細書に開示する面状発光装置の更に他の実施形態の線状発光部の拡大平面図である。
【図１５】図１４に対応する側面図である。
【図１６】本明細書に開示する面状発光装置の一実施形態の線状発光部の変形例１の拡大平面図である。
【図１７】本明細書に開示する面状発光装置の一実施形態の線状発光部の変形例２の拡大平面図である。
【図１８】本明細書に開示する面状発光装置の一実施形態の線状発光部の変形例３の拡大平面図である。
【図１９】本明細書に開示する面状発光装置の一実施形態の線状発光部の変形例４の拡大平面図である。
【図２０】本明細書に開示する面状発光装置の一実施形態の線状発光部の変形例５の拡大断面図である。
【図２１】本明細書に開示する面状発光装置の一実施形態の線状発光部の変形例６の拡大断面図である。
【発明を実施するための形態】
【００２７】
以下、本明細書で開示する線状発光装置及び面状発光装置の好ましい一実施形態を、図を参照して説明する。但し、本発明の技術範囲はそれらの実施形態に限定されず、特許請求の範囲に記載された発明とその均等物に及ぶものである。
【００２８】
本明細書では、液晶パネル等の透過型の表示パネルを背面から照らす光源として使用される面状発光装置を例にして以下に説明を行うが、本明細書で開示する面状発光装置の用途はこれに限定されるものではない。例えば、本明細書で開示する面状発光装置は、照明装置及び情報表示装置の光源としても使用され得る。
【００２９】
図１は、本明細書に開示する面状発光装置の一実施形態の斜視図である。図２は、本明細書に開示する面状発光装置の一実施形態の分解斜視図である。図３は、本明細書に開示する面状発光装置の一実施形態の要部の平面図である。図４（Ａ）は、本明細書に開示する面状発光装置の一実施形態の線状発光部の拡大平面図であり、図４（Ｂ）は、図４（Ａ）に対応する側面図である。図５は、図４のＢ−Ｂ’線断面図である。図６は、本明細書に開示する面状発光装置の一実施形態の線状発光部の配線部の拡大平面図である。図７（Ａ）は、図１のＡ−Ａ’線拡大断面図であり、図７（Ｂ）は、図７（Ａ）の要部の拡大図である。
【００３０】
本実施形態の面状発光装置１０は、線状発光部１１と、導光板１２と、反射シート１４と、スペーサ１５と、拡散シート１６と、集光シート１７と、反射型偏光板１８と、これらを内部に収納する収納ケース１０ａを備える。面状発光装置１０は、所定の方向に伸延した扁平な直方体の形状を有する。
【００３１】
下ケース１３は、底部１３ａと、４つの側部１３ｂ、１３ｃ、１３ｄ、１３ｅを有する。底部１３ａと、４つの側部１３ｂ、１３ｃ、１３ｄ、１３ｅに囲まれて、空間１３ｆが形成される。空間１３ｆの上方は、外部に露出している。
【００３２】
上ケース１９が空間１３ｆを覆うように下ケース１３上に配置されて、収納ケース１０ａが形成される。
【００３３】
下ケース１３の底部１３ａは矩形の形状を有する。導光板１２と、反射シート１４と、拡散シート１６と、集光シート１７と、反射型偏光板１８の輪郭は、概ね底部１３ａの形状と一致する。
【００３４】
反射シート１４は、底部１３ａ上に配置される。更に、反射シート１４上に、導光板１２と、拡散シート１６と、集光シート１７と、反射型偏光板１８が、輪郭を概ね一致させて順番に配置される。そして、上ケース１９が、反射型偏光板１８を覆うように、下ケース１３上に配置される。
【００３５】
上ケース１９は、大きな開口部１９ａを有しており、開口部１９ａから反射型偏光板１８が露出する。線状発光部１１が出射した光は、開口部１９ａから外部へ面状に出射される。
【００３６】
導光板１２は、線状発光部１１が出射する光を入射する入射面１２ｂと、入射面１２ｂから入射した光を出射する出射面１２ｄと、出射面１２ｄと対向する反射面１２ａと、入射面１２ｂと対向する対向面１２ｃを有する。導光板１２は、面状発光装置１０の長手方向に伸延した、扁平な直方体の形状を有する。導光板１２は、入射面１２ｂから入射した光を導光しながら進行方向を変化させて、入射面１２ｂと直交する向きを有する出射面１２ｄから出射する。導光板１２は、線状発光部１１が発光する光を伝搬する材料を用いて形成される。導光板１２は、例えば、ポリカーボネート樹脂又はアクリル樹脂等の樹脂を用いて形成される。また、導光板１２は線状発光部１１から高輝度の光を入射し得るので、耐光性の高い材料を用いて形成してもよい。耐光性の高い材料として、例えば、ガラスを用いることができる。
【００３７】
入射面１２ｂは、導光板１２の長手方向に伸延した矩形の形状を有する。
【００３８】
入射面１２ｂの長手方向の両側には、突起部１２ｅが配置される。線状発光部１１は、下ケース１３内において、一対の突起部１２ｅと入射面１２ｂとに囲まれた空間に配置される。
【００３９】
導光板１２の反射面１２ａには、微細な凹凸構造が設けられている。導光板１２内で反射面１２ａに進んだ光は、この凹凸構造により進行方向が出射面１２ｄ側へ変えられて、出射面１２ｄから出射する。
【００４０】
なお、導光板１２の形状は、長手方向に伸延した矩形に限定されるものではない。導光板１２の形状は、面状発光装置１０が組み込まれる装置が出射する光の面形状に対応させて適宜決定され得る。例えば、導光板１２の形状は、正方形、４角形以外の多角形、楕円形であってもよい。また、例えば、面状発光装置１０が、照明装置の光源として用いられる場合には、導光板１２の形状は、円形、楕円形、多角形の形状であってもよい。
【００４１】
線状発光部１１は、素子実装部１１０と、端子パターン部１２０とを有し、面状発光装置１０の長手方向に伸延した、細長い矩形の形状を有する。素子実装部１１０は、実装基板１１ｊ及び回路基板１１ｉを有する基板部１１ｄと、複数の発光素子１１ｇと、枠体１１ａと、封止材１１ｂと、検査電極１１ｅ、１１ｆと、コネクタ１１ｃを有する。図４に示すように、線状発光部１１の長手方向を、以下Ｘ軸方向ともいう。また、線状発光部１１の長手方向と直交する幅方向を、以下Ｙ軸方向ともいう。
【００４２】
例えば、素子実装部１１０の長手方向の寸法を約３４０ｍｍとして、幅方向の寸法を約４ｍｍとすることができる。また、素子実装部１１０の厚さを、約１．４ｍｍとすることができる。
【００４３】
実装基板１１ｊは、細長い矩形の形状を有する。実装基板１１ｊの長手方向は、線状発光部１１の長手方向と一致し、実装基板１１ｊの幅方向は、線状発光部１１の幅方向と一致する。実装基板１１ｊは、例えば、アルミニウム等の金属、又はセラミックス等の電気絶縁性の材料を用いて形成される。実装基板１１ｊは、平坦な表面を有し、この平坦な表面上に、複数の発光素子１１ｇが配置される。実装基板１１ｊの表面が平坦であることは、複数の発光素子１１ｇが高い密度で実装基板１１ｊ上に配置される観点から好ましい。
【００４４】
例えば、実装基板１１ｊの厚さを約０．９ｍｍとすることができる。
【００４５】
回路基板１１ｉは、実装基板１１ｊと同じ輪郭を有し、実装基板１１ｊ上に配置される。回路基板１１ｉの長手方向は、線状発光部１１の長手方向と一致し、回路基板１１ｉの幅方向は、線状発光部１１の幅方向と一致する。回路基板１１ｉは、その中央部に細長い開口部１１оを有し、開口部１１оから実装基板１１ｊの平坦な表面が露出する。回路基板１１ｉは、接着シート等の接着材によって実装基板１１ｊ上に貼り付けられる。回路基板１１ｉは、例えば、フェノール樹脂、エポキシ樹脂、ポリイミド樹脂又はポリエステル樹脂等の電気絶縁性且つ剛性の樹脂を用いて形成されるリジッド基板である。
【００４６】
図６に示すように、回路基板１１ｉの表面には、開口部１１оを挟むように、一対の配線部２０１、２１１が配置される。一対の配線部２０１、２１１は、回路基板１１ｉの長手方向に伸延するように、回路基板１１ｉの幅方向に間隔を開けて配置される。配線部２０１、２１１は、例えば、金又は銅等の導電体が、回路基板１１ｉ上にパターニングされて形成される。
【００４７】
配線部２０１、２１１の間には、複数の発光素子１１ｇが、線状発光部１１の長手方向に沿って配置される。
【００４８】
端子パターン部１２０は、複数の発光素子１１ｇのそれぞれに配線部２０、２１を介して電力を供給する端子２００、２１０が配置された可撓性の基板である。端子２００、２１０は、一対の配線部２０２、２１２の端部２０ｂ、２１ｂに形成され、素子実装部１１０及び端子パターン部１２０に形成された一対の配線部２０、２１を介して複数の発光素子１１ｇに電力を供給可能である。配線部２０は、素子実装部１１０に配置される配線部２０１と、端子パターン部１２０に配置される配線部２０２とを含む。また、配線部２１は、素子実装部１１０に配置される配線部２１１と、端子パターン部１２０に配置される配線部２１２とを含む。
【００４９】
端子パターン部１２０は、例えばポリイミド等の絶縁薄膜であるベースフィルム、ベースフィルムの表面及び裏面に接着された導体箔、並びに導体箔を覆うソルダレジストにより形成されるフレキシブルプリント配線板（Flexible Printed Circuits、ＦＰＣ）である。また、端子パターン部１２０は、可撓性のフレキシブル部と、剛性のリジッド部とを含むリジッドフレキシブル基板であってもよい。フレキシブル部は、フレキシブルプリント配線板と同様な構成を有し、リジッド部は、フレキシブル部と同様な構成を有するフレキシブル層と、リジッド基板と同様な構成を有するリジッド層とを重畳して形成される。
【００５０】
端子パターン部１２０は、線状発光部１１の長手方向の第１端部１１ｍ側の端部に配置される。端子パターン部１２０の表面には、一対の配線部２０２及び２１２配置される。配線部２０２、２１２は、例えば、金又は銅等の導電体が、端子パターン部１２０上にパターニングされて形成される。配線部２０２は、素子実装部１１０の表面に配置される配線部２０１と第１接続部１１１を介して接続される。配線部２１２は、素子実装部１１０の表面に配置される配線部２１１と第２接続部１１２を介して接続される。
【００５１】
端子パターン部１２０の端子２００、２１０には、コネクタ１１ｃが接続される。コネクタ１１ｃは、外部電源（図示せず）から供給される電力を配線部２０、２１に供給する。また、端子パターン部１２０には、コネクタ１１ｃを、ハンダ等を用いて回路基板１１ｉに接合するための接合パッド２４ａ、２４ｂが配置される。
【００５２】
図６に示すように、配線部２０１及び配線部２１１における第２端部１１ｎ側の端部２０ａ、２１ａ同士は、ツェナーダイオード２３を介して電気的に接続される。ツェナーダイオード２３は、複数の発光素子１１ｇに対して過電圧が印加されることを防止する。
【００５３】
また、配線部２０２、２１２の端部２０ｂ，２１ｂには、コネクタ１１ｃと隣接して検査電極１１ｅ、１１ｆが配置される。検査電極１１ｅ、１１ｆは、製造工程において線状発光部１１の動作を検査するための電圧を印加するために用いられる。
【００５４】
コネクタ１１ｃには、外部電源からケーブル２５を介して電力が供給される。コネクタ１１ｃに接続されるケーブル２５は、反射シート１４の開口部１４ａ及び下ケース１３の底部１３ａに設けられた開口部１３ｇを通って外部へ延出可能である。
【００５５】
また、ケーブル２５は、可撓性を有する端子パターン部１２０と共に、反射シート１４の開口部１４ａ及び下ケース１３の底部１３ａに設けられた開口部１３ｇを通って外部へ延出してもよい。
【００５６】
配線部２１１には、発光素子１１ｇを実装基板１１ｊ上に配置する時のマーカとして機能する複数の凹部２１ｃが配置される。
【００５７】
また、配線部２０１には、ワイヤ１１ｈを実装基板１１ｊ上に配置する時のマーカとして機能する複数の凹部２０ｃが配置される。
【００５８】
回路基板１１ｉ及び配線部２０、２１は、コネクタ１１ｃが配置される領域及び検査電極１１ｅ、１１ｆを除いて、絶縁性の膜であるソルダレジスト１１ｋによって覆われて保護される。
【００５９】
発光素子１１ｇは、例えば、矩形上に形成された青色系の半導体発光素子である。発光素子１１ｇは、例えば、ＬＥＤダイである。ＬＥＤダイは、発光ダイオードのダイにカソード端子及びアノード端子が電気的に接続された素子である。複数の発光素子１１ｇが、回路基板１１ｉの開口部１１о内の実装基板１１ｊ上に、線状発光部１１の長手方向に沿って直線状に配置される。複数の発光素子１１ｇは、線状発光部１１の長手方向に並ぶ発光素子列１１ｐを形成する。発光素子１１ｇは、その上面が実装基板１１ｊの表面と平行に配置されることが好ましい。発光素子１１ｇは、例えば、実装基板１１ｊ上にダイボンドにより接着される。発光素子１１ｇとして、例えば発光波長域が４４０〜４５５ｎｍのＩｎＧａＮ系化合物半導体等を用いることができる。図４に示す例では、矩形の発光素子１１ｇは、辺同士を互いに対向させて実装基板１１ｊ上に配置されているが、発光素子１１ｇを４５度回転させて、互いの頂点同士を対向させるように、発光素子１１ｇを実装基板１１ｊ上に配置してもよい。
【００６０】
発光素子１１ｇが、実装基板１１ｊ上に直接配置されることにより、発光する発光素子１１ｇが生じる熱を実装基板１１ｊに効率よく伝達できるので、発光素子１１ｇの温度が上昇することが抑制される。このように線状発光部１１が発光素子１１ｇの高い放熱性を有することは、発光素子１１ｇを高い密度で、実装基板１１ｊ上に配置する観点からも好ましい。
【００６１】
発光素子１１ｇは、カソード端子Ｋ及びアノード端子Ａを有する。近接する発光素子１１ｇ同士は、カソード端子Ｋとアノード端子Ａとが、ワイヤ１１ｈを用いて互いに電気的に接続される。複数の発光素子１１ｇが、電気的に接続されて一つの列を形成する。各列の両端に位置する発光素子１１ｇのカソード端子Ｋ又はアノード端子Ａは、ワイヤ１１ｈを介して配線部２０、２１と電気的に接続される。本実施形態では、８個の発光素子１１ｇが直列に接続された２６列が、配線部２０、２１の間に並列に接続されている。即ち、線状発光部１１の発光素子列１１ｐは、２０８個の発光素子１１ｇを有する。なお、ワイヤ１１ｈは、封止材１１ａにより封止されているが、図では、分りやすくするために、実線で示している。
【００６２】
外部電源からコネクタ１１ｃを介して、配線部２０、２１に直流電圧が印加されることによって、発光素子１１ｇは発光する。
【００６３】
線状発光部１１では、複数の発光素子１１ｇが実装基板１１ｊ上に直接配置されるので、線状発光部１１の長手方向において、単位長さあたりに多数の発光素子１１ｇを配置することが可能となる。
【００６４】
一列あたりに配置される発光素子１１ｇの数は、駆動回路の出力電圧に応じて適宜決定され得る。また、線状発光部１１に配置される列の数は、面状発光装置１０に求められる輝度に応じて適宜決定され得る。
【００６５】
例えば、発光素子１１ｇを平面視した寸法は、約０．６ｍｍ×０．６ｍｍとすることができる。また、隣接する発光素子１１ｇの間隔を、約１．４ｍｍとすることができる。発光素子１１ｇが配置される実装基板１１ｊの表面が平坦であれば、隣接する発光素子１１ｇの間隔を、約０．１ｍｍ程度にすることも可能である。
【００６６】
枠体１１ａは、直線状に配置される複数の発光素子１１ｇを囲むように、回路基板１１ｉの開口部１１оに沿って配置される。枠体１１ａの長手方向は、線状発光部１１の長手方向と一致する。枠体１１ａの幅方向は、線状発光部１１の幅方向と一致する。枠体１１ａは、線状発光部１１の長手方向に伸延した環状の形状を有する。枠体１１ａは、例えば、ダム材である。
【００６７】
枠体１１ａは、長尺状のほぼ同じ幅の枠体連続体が、環状に配置されて形成される。枠体連続体は、白色の樹脂で形成されることが好ましい。例えば、枠体連続体は、酸化チタン等の微粒子が分散されたシリコン樹脂又はエポキシ樹脂を用いて形成される。また、枠体連続体の幅を１ｍｍとして、高さを０．５ｍｍとすることができる。
【００６８】
発光素子１１ｇから枠体１１ａに向けて出射された光は、枠体１１ａの内側、即ち発光素子１１ｇ側の表面で反射されて線状発光部１１の上方に出射される。
【００６９】
封止材１１ｂは、複数の発光素子１１ｇを封止するために枠体１１ａの内側で実装基板１１ｊ上に配置される。封止材１１ｂは、複数の発光素子１１ｇに基づいて生成される光に対して透光性を有する樹脂に蛍光体が含有された部材である。複数の発光素子１１ｇに基づいて生成される光は、発光素子１１ｇが出射する光と、蛍光体により波長変換された光を含む。蛍光体は、発光素子１１ｇが出射した青色光を吸収して黄色光に波長変換する、例えばＹＡＧ（ｙｔｔｒｉｕｍ  ａｌｕｍｉｎｕｍ  ｇａｒｎｅｔ）等の粒子状の蛍光体材料である。青色光と蛍光体により波長変換された黄色光とが混合されることにより白色光が得られる。封止材１１ｂは、例えば、エポキシ樹脂又はシリコン樹脂等の樹脂に蛍光体が含有されて形成され得る。封止材１１ｂは、青色光を吸収して他の色の光（赤色、緑色等）に波長変換する蛍光体を有していてもよい。また、封止材１１ｂは、蛍光体を有していなくてもよい。
【００７０】
枠体１１ａに囲まれた封止材１１ｂの表面は、光を出射する発光領域１１ｌを形成する。
【００７１】
図５に示すように、実装基板１１ｊの表面を基準として、枠体１１ａの高さ（頂点の位置）は、封止材１１ｂの表面の位置よりも高い。例えば、枠体１１ａの高さを、封止材１１ｂの表面の位置よりも０．１ｍｍ高くしてもよい。
【００７２】
反射シート１４は、導光板１２の反射面１２ａから出射した光を、反射面１２ａ側に向かって反射する。反射シート１４は、例えば、光反射機能を有する金属板、フィルム、箔、銀蒸着膜が形成されたフィルム、アルミニウム蒸着膜が形成されたフィルム、又は白色シート等を用いることができる。
【００７３】
反射シート１４の厚さは、例えば、約０．２ｍｍとすることができる。
【００７４】
拡散シート１６は、導光板１２の出射面１２ｄから出射した光が拡散しながら透過する。拡散シート１６は、例えば、ポリカーボネート樹脂又はアクリル樹脂等の樹脂にシリカ粒子等を分散して形成される。
【００７５】
拡散シート１６の厚さは、例えば、約０．１ｍｍとすることができる。
【００７６】
集光シート１７は、拡散シート１６から入射した光の配光分布を調整して、反射型偏光板１８に向かって出射する。集光シート１７は、反射型偏光板１８側の面に微小な集光群を有する。集光シート１７として、例えばプリズムシートを用いることができる。
【００７７】
集光シート１７の厚さは、例えば、約０．２ｍｍとすることができる。
【００７８】
反射型偏光板１８は、集光シート１７から入射した光のＳ成分及びＰ成分の中の何れか一方の成分を透過し、他方の成分を反射する。反射された成分の光は、反射シート１４側に向かって進行した後、再度反射型偏光板１８に入射するまでの間に反射型偏光板１８を透過する成分の光に変換される。反射型偏光板１８は、例えば、樹脂により形成される多層膜構造を有する。
【００７９】
反射型偏光板１８の厚さは、例えば、約０．４ｍｍとすることができる。
【００８０】
なお、導光板１２上に配置されるシートは、上述した例に限定されるものではない。例えば、面状発光装置１０が、一般の照明装置の光源として使用される場合、導光板１２上に、第１の拡散シートと、第２の拡散シートとを順番に配置してもよい。また、面状発光装置１０が、大型のディスプレイ装置の光源として使用される場合、導光板１２上に、第１の拡散シートと、第２の拡散シートと、集光シートとを順番に配置してもよい。また、面状発光装置１０が、大型、中型又は小型のディスプレイ装置の光源として使用される場合、導光板１２上に、拡散シートと、集光シートとを順番に配置してもよい。また、面状発光装置１０が、小型のディスプレイ装置の光源として使用される場合、導光板１２上に、拡散シートと、第１の集光シートと、第２の集光シートを順番に配置してもよい。
【００８１】
図３は、下ケース１３と、下ケース１３内に配置された反射シート１４と、導光板１２と、接着材１０ｂと、線状発光部１１と、スペーサ１５を示す平面図である。
【００８２】
図３に示すように、線状発光部１１は、その長手方向を、下ケース１３の長手方向と一致させて、接着材１０ｂを介して、下ケース１３の側部１３ｂ上に固定される。接着材１０ｂは、高い熱伝導性を有することが好ましい。なお、接着材１０ｂは、線状発光部１１の長手方向の全体にわたって配置されていなくてもよい。この場合、接着材１０ｂが配置されていない線状発光部１１と側部１３ｂとの間に熱伝導グリースを配置してもよい。また、線状発光部１１における実装基板１１ｊの裏面に凹凸を形成して、接着材１０ｂとの接着強度を高めてもよい。実装基板１１ｊの裏面の凹凸は、例えば、サンドブラスト等の機械的処理、エッチング等の化学的処理又はプラズマ等の物理的処理を用いて形成される。
【００８３】
導光板１２は、その入射面１２ｂが、線状発光部１１の発光領域１１ｌと対向するように、下ケース１３の空間１３ｆに収納される（図７（Ｂ）参照）。また、導光板１２は、一対の突起部１２ｅが、素子実装部１１０の長手方向の第１端部１１ｍ及び第２端部１１ｎと当接するように、下ケース１３の空間１３ｆに配置される。
【００８４】
導光板１２の対向面１２ｃにおける長手方向の両端部と、下ケース１３の側部１３ｃとの間には弾性を有するスペーサ１５が配置される。導光板１２は、対向面１２ｃにおける長手方向の両端部がスペーサ１５によって、線状発光部１１側に押圧される。これにより、導光板１２における一対の突起部１２ｅが、素子実装部１１０の長手方向の第１端部１１ｍ及び第２端部１１ｎを押圧することにより、導光板１２が下ケース１３の空間１３ｆ内に固定される。
【００８５】
また、図４に示すように、線状発光部１１では、実装基板１１ｊにおける長手方向と直交する幅方向の中心を通る中心軸Ｌ１と、枠体１１ａにおける長手方向と直交する幅方向の中心を通る中心軸Ｌ２とは一致していない。枠体１１ａは、中心軸Ｌ２に対してほぼ線対称に形成される。その結果、枠体１１ａと実装基板１１ｊにおけるＹ軸の正方向側の端縁との距離Ｓ１は、枠体１１ａと実装基板１１ｊにおけるＹ軸の負方向側の端縁との距離Ｓ２よりも広くなる。
【００８６】
図７（Ｂ）に示すように、線状発光部１１が、収納ケース１０ａ内に収納された状態において、線状発光部１１の発光領域１１ｌの光軸と、導光板１２の入射面１２ｂの光軸とは一致することが、線状発光部１１が発光した光を、導光板１２の入射面１２ｂに効率よく入射する観点から好ましい。
【００８７】
収納ケース１０ａ内では、導光板１２の反射面１２ａの下には反射シート１４のみが配置されるが、導光板１２の出射面１２ｄの上には、拡散シート１６、集光シート１７及び反射型偏光板１８が配置される。そのため、導光板１２の上下それぞれに配置されるシートの数に対応するように、距離Ｓ１を距離Ｓ２よりも長くして、線状発光部１１の発光領域１１ｌの光軸と、導光板１２の入射面１２ｂの光軸とを一致させやすくなされている。
【００８８】
次に、上述した本実施形態の面状発光装置１０の動作について、以下に説明する。
【００８９】
外部電力がコネクタ１１ｃに供給されて、線状発光部１１の発光素子１１ｇは発光する。線状発光部１１が線状に発光した光は、図７（Ｂ）に示すように、発光領域１１ｌから導光板１２の入射面１２ｂへ入射する。
【００９０】
線状発光部１１の封止材１１ｂの表面から出射した多くの光は、導光板１２の入射面１２ｂへ向かう。また、線状発光部１１の封止材１１ｂの表面から出射した光の一部は、枠体１１ａに向かって進行する。枠体１１ａに向かった光は、枠体１１ａの表面で反射して、導光板１２の入射面１２ｂへ向かう。これにより、枠体１１ａに向かった光は、導光板１２の入射面１２ｂへ向かうように導光される。封止材１１ｂの表面の位置と、枠体１１ａの高さとの関係は、線状発光部１１の寸法又は線状発光部１１と導光板１２との位置関係に基づいて適宜設計可能である。また、面状発光装置１０の設計の許す範囲で枠体１１ａの高さをより高くして、枠体１１ａと導光板１２の入射面１２ｂとの距離を近接させることは、線状発光部１１が発光した光を効率よく導光板１２の入射面１２ｂへ入射する観点から好ましい。
【００９１】
導光板１２の入射面１２ｂへ入射した光は、導光板１２を対向面１２ｃ側に向かって進行しながら、徐々に出射面１２ｄから拡散シート１６へ向かって出射する。また、一部の光は、反射シート１４により反射されて、出射面１２ｄから拡散シート１６へ向かって出射する。これにより、線状発光部１１が線状に発光した光は、導光板１２の出射面１２ｄから面状に出射する光に変換される。
【００９２】
導光板１２の出射面１２ｄから面状に出射する光は、拡散シート１６、集光シート１７及び反射型偏光板１８を透過して、面状発光装置１０の外部へ出射される。
【００９３】
上述した本実施形態の面状発光装置によれば、複数の発光素子が高い密度で配置される線状発光部を備えるので、高い輝度の面状の光を出射可能である。
【００９４】
面状発光装置１０は、コネクタ１１ｃを可撓性の端子パターン部１２０に配置するので、コネクタ１１ｃを面状発光装置１０の外部等の発光素子の発光に寄与しない領域に配置することで、面状発光装置１０の輝度を向上させることができる。
【００９５】
また、面状発光装置１０は、端子パターン部１２０に検査電極１１ｅ、１１ｆが配置されるので、検査電極１１ｅ、１１ｆを面状発光装置１０の外部等の発光素子の発光に寄与しない領域に配置することで、面状発光装置１０の輝度を更に向上させることができる。
【００９６】
また、面状発光装置１０は、素子実装部１１０の長手方向に沿って延伸する配線部２０１、２１１に接続される配線部２０２、２１２が配置される端子パターン部１２０を実装基板１１ｊの長手方向の端部に配置するので、簡明な接続構造で配線部を形成できる。
【００９７】
図８は、本明細書に開示する面状発光装置の他の実施形態の斜視図である。図９は、本明細書に開示する面状発光装置の他の実施形態の分解斜視図である。図１０は、本明細書に開示する面状発光装置の他の実施形態の線状発光部の拡大平面図である。図１１は、本明細書に開示する面状発光装置の他の実施形態の線状発光装置の配線部の拡大平面図である。
【００９８】
本実施形態の面状発光装置３０は、線状発光部３１、下ケース３３及び反射シート３４を線状発光部１１、下ケース１３及び反射シート１４の代わりに有することが面状発光装置１０と相違する。線状発光部３１、下ケース３３及び反射シート３４以外の面状発光装置３０の構成要素の構成及び機能は、同一符号が付された面状発光装置１０の構成要素の構成及び機能と同様なので、ここでは詳細な説明は省略する。
【００９９】
線状発光部３１は、端子パターン部１２０が、素子実装部１１０の長手方向の端部ではなく、素子実装部１１０の長手方向の中央部に配置されることが線状発光部１１と相違する。端子パターン部１２０が素子実装部１１０の長手方向の中央部に配置されること以外の線状発光部３１の構成要素の構成及び機能は、同一符号が付された線状発光部１１の構成要素の構成及び機能と同様なので、ここでは詳細な説明は省略する。
【０１００】
端子パターン部１２０は、素子実装部１１０の回路基板１１ｉの表面に接着されることで固定される。また、端子パターン部１２０に配置される配線部２０２、２１２は、第１接続部１２１及び第２接続部１２２を介して素子実装部１１０に配置される配線部２０１、２１１に接続される。配線部２０１は、端子パターン部１２０に近接するように配置される。なお、配線部２０１を端子パターン部１２０に近接するように配置せずに、配線部２０１と、配線部２０２とはワイヤボンディングにより結線されてもよい。
【０１０１】
下ケース３３は、底部３３ａを底部１３ａの代わりに有することが下ケース１３と相違する。底部３３ａ以外の下ケース３３の構成要素の構成及び機能は、同一符号が付された下ケース１３の構成要素の構成及び機能と同様なので、ここでは詳細な説明は省略する。
【０１０２】
底部３３ａは、開口部１３ｇが長手方向の端部に形成されず、開口部３３ｇが長手方向の中央部に形成されることが底部１３ａと相違する。底部３３ａは、開口部３３ｇが長手方向の中央部に形成されること以外は、底部１３ａと同様の構成及び機能を有する。
【０１０３】
反射シート３４は、開口部１４ａが長手方向の端部に形成されず、開口部３４ａが長手方向の中央部に形成されることが反射シート１４と相違する。反射シート３４は、開口部３４ａが長手方向の中央部に形成されること以外は、反射シート１４と同様の構成及び機能を有する。
【０１０４】
図１２は、本明細書に開示する面状発光装置の更に他の実施形態の斜視図である。図１３は、本明細書に開示する面状発光装置の更に他の実施形態の分解斜視図である。図１４は、本明細書に開示する面状発光装置の更に他の実施形態の線状発光部の拡大平面図である。図１５は、図１４に対応する側面図である。
【０１０５】
本実施形態の面状発光装置４０は、線状発光部４１、導光板４２及びスペーサ４５を線状発光部１１、線状発光部１１、反射シート１４及びスペーサ１５の代わりに有することが面状発光装置１０と相違する。線状発光部４１、導光板４２及びスペーサ４５以外の面状発光装置４０の構成要素の構成及び機能は、同一符号が付された面状発光装置１０の構成要素の構成及び機能と同様なので、ここでは詳細な説明は省略する。
【０１０６】
線状発光部４１は、端子パターン部４００と、第１素子実装部４１０と、第２素子実装部４２０と、第３素子実装部４３０と、第４素子実装部４４０と、第１接続部４５０と、第２接続部４６０と、第３接続部４７０とを有する。端子パターン部４００は、端子パターン部１２０と同様に、ベースフィルム、ベースフィルムの表面及び裏面に接着された導体箔、並びに導体箔を覆うソルダレジストにより形成されるＦＰＣである。
【０１０７】
第１素子実装部４１０は、第１実装基板４１１と、第１回路基板４１２とを有する。第２素子実装部４２０は、第２実装基板４２１と、第２回路基板４２２とを有する。第３素子実装部４３０は、第３実装基板４３１と、第３回路基板４３２とを有する。第４素子実装部４４０は、第４実装基板４４１と、第４回路基板４４２とを有する。
【０１０８】
第１実装基板４１１、第２実装基板４２１、第３実装基板４３１、第４実装基板４４１は、実装基板１１ｊと同様に、アルミニウム等の金属、又はセラミックス等の電気絶縁性の材料を用いて形成される。第１回路基板４１２、第２回路基板４２２、第３回路基板４３２、第４回路基板４４２は、実装基板１１ｉと同様に、電気絶縁性且つ剛性の材料を用いて形成される。
【０１０９】
第１素子実装部４１０の長さＴ１は、第３素子実装部４３０の長さＴ３と等しい。また、第１素子実装部４１０の長さＴ１及び第３素子実装部４３０の長さＴ３は、面状発光装置４０の長手方向の長さＳ１と、略同一である。第１素子実装部４１０は下ケース１３の側部１３ｂの内壁に接着剤１０ｂにより接着され、第３素子実装部４３０は下ケース１３の側部１３ｃの内壁に接着剤１０ｃにより接着される。
【０１１０】
第２素子実装部４２０の長さＴ２は、第４素子実装部４４０の長さＴ４と等しい。また、第２素子実装部４２０の長さＴ２及び第４素子実装部４４０の長さＴ４は、面状発光装置４０の短手方向の長さＳ２と、略同一である。第２素子実装部４２０は下ケース１３の側部１３ｅの内壁に接着剤１０ｅにより接着され、第４素子実装部４４０は下ケース１３の側部１３ｄの内壁に接着剤１０ｄにより接着される。
【０１１１】
第１素子実装部４１０、第２素子実装部４２０、第３素子実装部４３０及び第４素子実装部４４０の構成及び機能は、素子実装部１１０と同様な構成を有するので、ここでは詳細な説明は省略する。
【０１１２】
第１接続部４５０、第２接続部４６０及び第３接続部４７０は、端子パターン部４００と同様に、ベースフィルム、ベースフィルムの表面及び裏面に接着された導体箔、並びに導体箔を覆うソルダレジストにより形成されるＦＰＣである。
【０１１３】
第１素子実装部４１０に実装される発光素子１１ｇは、端子パターン部４００を介してコネクタ１１ｃに接続される。第２素子実装部４２０に実装される発光素子１１ｇは、端子パターン部４００、第１素子実装部４１０及び第１接続部４５０を介してコネクタ１１ｃに接続される。第３素子実装部４３０に実装される発光素子１１ｇは、端子パターン部４００、第１素子実装部４１０、第２素子実装部４２０、第１接続部４５０及び第２接続部４２０を介してコネクタ１１ｃに接続される。第４素子実装部４４０に実装される発光素子１１ｇは、端子パターン部４００、第１素子実装部４１０、第２素子実装部４２０、第３素子実装部４３０、第１接続部４５０、第２接続部４２０及び第３接続部４３０を介してコネクタ１１ｃに接続される。
【０１１４】
導光板４２及びスペーサ４５のそれぞれは、側部１３ｂ〜１３ｅに接着剤１０ｂ〜１０ｅによって接着される線状発光部４１を押圧するように構成される。導光板４２は、第１入射面、第２入射面、第３入射面、第４入射面及び出射面を有する。第１入射面は、第１の線状発光装置である第１素子実装部４１０から出射する光を入射する。第２入射面は、第２の線状発光装置である第２素子実装部４２０から出射する光を入射する。第３入射面は、第３の線状発光装置である第３素子実装部４３０から出射する光を入射する。第４入射面は、第４の線状発光装置である第４素子実装部４４０から出射する光を入射する。出射面第１入射面、第２入射面、第３入射面及び第４入射面から入射した光を出射する。
【０１１５】
面状発光装置４０は、発光素子１１ｇを実装する第１素子実装部４１０、第２素子実装部４２０、第３素子実装部４３０及び第４素子実装部４４０を下ケース１３の４つの側部１３ｂ〜１３ｅに配置することができるので、輝度を向上させることができる。
【０１１６】
次に、上述した本実施形態の面状発光装置が備える線状発光部の変形例１〜変形例５を、図１６〜図２０を参照しながら、以下に説明する。
【０１１７】
図１６は、本明細書に開示する面状発光装置の一実施形態の線状発光部の変形例１の拡大平面図である。
【０１１８】
本変形例の線状発光部５１では、複数の発光素子１１ｇは、上述した実施形態と同様に、線状発光部５１の長手方向に並ぶ発光素子列１１ｐを形成する。この発光素子列１１ｐにおいて、長手方向の端部側において隣接する発光素子１１ｇ同士の間隔Ｐ２は、長手方向の中央において隣接する発光素子１１ｇ同士の間隔Ｐ１よりも狭い。図１６に示す例では、線状発光部３１の長手方向において、発光素子列１１ｐは、第１端部１１ｍ側から第２端部１１ｎ側に向かって、領域Ｒ１、領域Ｒ２及び領域Ｒ３にわかれている。領域Ｒ１には、８個の発光素子１１ｇが間隔Ｐ２で配置される列が１０個形成され、領域Ｒ２には、８個の発光素子１１ｇが間隔Ｐ１で配置される列が４個形成され、領域Ｒ３には、８個の発光素子１１ｇが間隔Ｐ２で配置される列が１０個形成される。
【０１１９】
言い換えると、発光素子列１１ｐの長手方向の端部側における複数の発光素子１１ｇのＸ軸方向の単位長さあたりの密度（以下、線密度ともいう）は、発光素子列１１ｐの長手方向の中央における複数の発光素子１１ｇの線密度よりも高い。
【０１２０】
これにより、線状発光部５１の発光強度は、線状発光部５１の長手方向の両端において強く、長手方向の中央において弱くなる。
【０１２１】
図３に示すように、導光板１２の入射面１２ｂの両側には、突起部１２ｅが配置されるので、突起部１２ｅと対向する線状発光部５１の部分には発光領域は配置されない。導光板１２の入射面１２ｂの両側の部分は発光領域１１ｌと直接対向しないので、導光板１２の入射面１２ｂの両側の部分と線状発光部５１の発光領域１１ｌとの距離は、入射面１２ｂと線状発光部５１の発光領域１１ｌとの距離よりも長くなる。そのため、導光板１２の入射面１２ｂの両側の部分に入射する光量は、導光板１２の入射面１２ｂよりも小さくなるので、そのままでは、導光板１２の出射面１２ｄから出射する光は、長手方向の両端部の光強度が、長手方向の中央部よりも弱くなる。
【０１２２】
そこで、本変形例の線状発光部５１では、発光素子列１１ｐの長手方向の端部側における複数の発光素子１１ｇの線密度を、長手方向の中央よりも高くして、導光板１２の入射面１２ｂに入射する光量と、導光板１２の入射面１２ｂの両側の部分に入射する光量との差を小さくする。これにより、導光板１２の出射面１２ｄから出射する光の面内の均一性を向上できる。
【０１２３】
また、導光板１２の長手方向の両端部の側面に反射シートを配置することにより、導光板１２の出射面１２ｄから出射する光の面内の均一性を向上してもよい。更に、同様の観点から、発光素子列１１ｐの長手方向の端部側における発光素子１１ｇの発光強度を、長手方向の中央の発光素子１１ｇよりも高くしてもよい。その他の構成は、上述した実施形態と同様である。
【０１２４】
なお、発光素子列１１ｐの長手方向の両端部側以外の部分において、発光素子１１ｇ同士の間隔を異ならせてもよい。
【０１２５】
図１７は、本明細書に開示する面状発光装置の一実施形態の線状発光部の変形例２の拡大平面図である。
【０１２６】
本変形例の線状発光部６１では、複数の発光素子１１ｇの配置される領域をＸ軸方向に射影した場合、隣接する発光素子１１ｇの射影成分１１ｘ同士が重なっている。一方、上述した実施形態では、複数の発光素子１１ｇの配置される領域をＸ軸方向に射影した場合、隣接する発光素子１１ｇの射影成分同士は重ならない。
【０１２７】
具体的には、図９に示すように、発光素子１１ｇは、Ｙ軸の正方向及び負方向に交互に位置をずらしながら、Ｘ軸方向に沿って線状に配置される。対向する一対の頂点がＸ軸方向に伸延した直線Ｌ３上に並ぶように各発光素子１１ｇが配置される第１の列と、対向する一対の頂点がＸ軸方向に伸延した直線Ｌ４上に並ぶように各発光素子１１ｇが配置される第２の列とが形成されている。その他の構成は、上述した実施形態と同様である。
【０１２８】
これにより、上述した実施形態よりも更に高い線密度で、複数の発光素子１１ｇを実装基板１１ｊ上に配置することができる。また、上述した実施形態では、隣接する発光素子１１ｇは、辺同士が対向するように配置されており、互いが発光する光が干渉しあって弱め合う場合があった。一方、本変形例では、図９に示すように、隣接する発光素子１１ｇの位置関係が、辺同士が対向して配置される位置関係からずれることにより、互いが発光する光が干渉しあって弱め合うことが抑制される。
【０１２９】
図１８は、本明細書に開示する面状発光装置の一実施形態の線状発光部の変形例３の拡大平面図である。
【０１３０】
本変形例の線状発光部７１では、線状発光部７１のＹ軸方向において、枠体１１ａから外方へ伸延した実装基板１１ｊ及び回路基板１１ｉが取り除かれている。その他の構成は、上述した実施形態と同様である。
【０１３１】
これにより、線状発光部７１のＹ軸方向の寸法を低減することができる。Ｙ軸方向の寸法の小さい線状発光部７１を用いることにより、厚さのより薄い面状発光装置１０を提供することができる。
【０１３２】
図１９は、本明細書に開示する面状発光装置の一実施形態の線状発光部の変形例４の拡大平面図である。
【０１３３】
本変形例の線状発光部８１では、上述した変形例４に対して、枠体が配置されていない点が異なる。封止材１１ｂの表面が、発光領域１１ｌを形成する点は、上述した実施形態と同様である。その他の構成は、上述した変形例４と同様である。
【０１３４】
例えば、本変形例の封止材１１ｂは、高いチキソトロピー性を有する材料を用いて形成することにより、枠体を用いることなく形成することができる。チキソトロピー性を有する材料は、応力を加えることにより流動性が増加し、応力を加えることを停止することにより流動性が低下する。まず、応力が加えられて流動性の高い状態の封止材１１ｂの材料を、複数の発光素子１１ｇを埋め込むように実装基板１１ｊ上に流し込み、次に、材料に応力を加えることを停止して流動性を低下させた後、材料を硬化することにより封止材１１ｂが得られる。また、高いチキソトロピー性を有する材料ではなく、高い粘度を有する材料を用いて、封止材１１ｂを形成してもよい。
【０１３５】
図２０は、本明細書に開示する面状発光装置の一実施形態の線状発光部の変形例５の拡大断面図である。図２０は、図５に対応する拡大断面図である。
【０１３６】
本変形例の線状発光部９１は、実装基板１１ｊが、下ケース１３と接合可能である点が、上述した実施形態とは異なる。
【０１３７】
実装基板１１ｊの下ケース１３側の面には、下ケース１３と接合するための表面処理層１１ｑが形成される。例えば、実装基板１１ｊがアルミニウム基板の場合、アルミニウム基板の表面を銅イオンでスパッタリングすることにより、銅メッキ層である表面処理層１１ｑを、実装基板１１ｊに形成してもよい。なお、表面処理層１１ｑを形成する方法は、上述した方法に限定されるものではない。例えば、銅箔を、実装基板１１ｊの裏面に接合して、表面処理層１１ｑを形成してもよい。また、図２０において破線で示されるように、枠体１１ａの内側の端部が、回路基板１１ｉの内側の端部よりも内側に配置されることで、枠体１１ａは、枠体１１ａの一部が実装基板１１ｊ上に配置されるように形成されてもよい。
【０１３８】
表面処理層１１ｑは、はんだ等の接合層１１ｒを介して、下ケース１３と接合される。
【０１３９】
表面処理層１１ｑ及び接合層１１ｒの熱伝導率は、樹脂等により形成される接着材よりも高い。これにより、発光素子１１ｇが発生したより多くの熱を、実装基板１１ｊを介して下ケース１３へ伝導することができる。また、線状発光部９１と下ケース１３との接合強度が向上する。その他の構成は、上述した実施形態と同様である。
【０１４０】
本発明では、上述した実施形態の面状発光装置は、本発明の趣旨を逸脱しない限り適宜変更が可能である。また、一の変形例が有する構成要件は、他の変形例にも適宜適用することができる。
【０１４１】
例えば、上述した実施形態では、面状発光装置は、液晶パネル等の透過型の表示パネルを背面から照らす光源として使用されていたが、本発明で開示する面状発光装置の用途はこれに限定されるものではない。本発明で開示する面状発光装置は、面状に発光する光源として利用可能である。例えば、本発明で開示する面状発光装置は、照明装置及び情報表示装置を含む面状に発光する光源を利用する装置において使用可能である。
【０１４２】
また、上述した実施形態では、面状発光装置は、エッジ型のバックライト装置であったが、面状発光装置は、直下型のバックライト装置であってもよい。この場合、面状発光装置は、複数の線状発光部を備えており、複数の線状発光部は、幅方向に並べて配置され得る。
【０１４３】
また、上述した実施形態に係る面状発光装置では、発光素子１１ｇが実装される素子実装部において、リジッド基板が回路基板として使用されるが、実施形態に係る面状発光装置では、素子実装部においてＦＰＣを回路基板として使用としてもよい。素子実装部においてＦＰＣを回路基板として使用するとき、端子パターン部及び接続部と、素子実装部の回路基板とは一体のＦＰＣとして形成されてもよい。
【０１４４】
図２１（Ａ）は端子パターン部及び接続部と、素子実装部の回路基板とは一体のＦＰＣとして形成された変形例に係る線状発光部の側面図であり、図２１（Ｂ）は図２１（Ａ）に対応する側面図ある。
【０１４５】
線状発光部１０１は、端子パターン部及び素子実装部の回路基板として機能するＦＰＣ１０２と、素子実装部の実装基板である１０３とを有する。線状発光部１０１の端子パターン部に形成される配線部、及び線状発光部１０１の素子実装部に配置される素子等の構成及び機能は、線状発光部３１の配線部及び素子等と同様なので、ここでは詳細な説明は省略する。
【０１４６】
また、端子パターン部及び接続部と、素子実装部の回路基板とは、可撓性のフレキシブル部と、剛性のリジッド部とを含むリジッドフレキシブル基板によって一体的に形成されてもよい。フレキシブル部は、フレキシブルプリント配線板と同様な構成を有し、リジッド部は、フレキシブル部と同様な構成を有するフレキシブル層と、リジッド基板と同様な構成を有するリジッド層とを重畳して形成される。
【０１４７】
また、面状発光装置４０では、発光素子１１ｇを実装する第１素子実装部４１０、第２素子実装部４２０、第３素子実装部４３０及び第４素子実装部４４０を下ケース１３の４つの側部１３ｂ〜１３ｅに配置される。しかしながら、実施形態に係る面状発光装置では、発光素子１１を実装する素子実装部は、デザイン性等の観点から、下ケースの４つの側部のうち３つの側部にのみ配置されてもよく、２つの側部のみに配置されてもよい。
【０１４８】
また、上述した実施形態では、線状発光部は、同じ波長の光を発光する発光素子を有していたが、線状発光部は、異なる波長の光を発光する複数の種類の発光素子を有していてもよい。例えば、線状発光部は、封止材に含まれる蛍光体により波長変換が行われない赤外線を発光する発光素子を有していてもよい。この場合、発光素子が発光する赤外線は、他の波長の光と共に導光板を伝搬して面状発光装置から出射される。面状発光装置から出射される赤外線を、例えば、虹彩認識等の生体認証を行うために利用してもよい。
【符号の説明】
【０１４９】
１０    面状発光装置
１０ａ    収納ケース
１１、３１、４１、５１、６１、７１    線状発光部
１１ａ    枠体
１１ｂ    封止材
１１ｃ    コネクタ
１１ｄ    基板部（基板）
１１ｅ、１１ｆ    検査電極
１１ｇ    発光素子
１１ｈ    ワイヤ
１１ｉ    回路基板（第２の回路基板）
１１ｊ    実装基板
１１ｋ    ソルダレジスト
１１ｌ    発光領域
１２、４２    導光板
１３    下ケース
１４    反射シート
１５、４５    スペーサ
１６    拡散シート
１７    集光シート
１８    反射型偏光板
１９    上ケース
２０    配線部（電極）
２１    配線部（電極）
１１０、４００、４５０、４６０、４７０    端子パターン部（可撓性の回路基板）
１２０、４１０、４２０、４３０、４４０    素子実装部
４５０、４６０、４７０    接続部（可撓性の回路基板）
【図１】
2020091952.tif 000003
【図２】
2020091952.tif 000004
【図３】
2020091952.tif 000005
【図４】
2020091952.tif 000006
【図５】
2020091952.tif 000007
【図６】
2020091952.tif 000008
【図７】
2020091952.tif 000009
【図８】
2020091952.tif 000010
【図９】
2020091952.tif 000011
【図１０】
2020091952.tif 000012
【図１１】
2020091952.tif 000013
【図１２】
2020091952.tif 000014
【図１３】
2020091952.tif 000015
【図１４】
2020091952.tif 000016
【図１５】
2020091952.tif 000017
【図１６】
2020091952.tif 000018
【図１７】
2020091952.tif 000019
【図１８】
2020091952.tif 000020
【図１９】
2020091952.tif 000021
【図２０】
2020091952.tif 000022
【図２１】
2020091952.tif 000023